(57)【要約】【課題】電波の送受信を良好に行うことができる手段を提供する。【解決手段】時計の文字盤を貫通する時計軸と、該時計軸に設置されて少なくともどちらかがアンテナとして機能している分針および時針を備えるアンテナ内蔵時計において、前記分針および時針を、前記文字盤の反対側に所定の角度で傾けて設置したことを特徴とする。【選択図】        図１
2005315589.tif 000002
【特許請求の範囲】
【請求項１】
時計の文字盤を貫通する時計軸と、該時計軸に設置されて少なくともどちらかがアンテナとして機能している分針および時針を備えるアンテナ内蔵時計において、
前記分針および時針を、前記文字盤の反対側に所定の角度で傾けて設置したことを特徴とするアンテナ内蔵時計。
【請求項２】
請求項１において、
前記時計軸に、一の側を前記文字盤の表示を指す指示部とし、他の側を保護色に塗った保護色部としたアンテナとして機能させる秒針を設置し、
該秒針を前記分針および時針と同方向に所定の角度で傾けたことを特徴とするアンテナ内蔵時計。
【請求項３】
請求項１または請求項２において、
前記文字盤を、曲面としたことを特徴とするアンテナ内蔵時計。
【請求項４】
請求項３において、
前記時計の前面カバーとしてレンズを配置したことを特徴とするアンテナ内蔵時計
【発明の詳細な説明】
【技術分野】
【０００１】
本発明は、無線通信の親局と子局との間で電波を送受するアンテナを内蔵したアンテナ内蔵時計に関する。
【背景技術】
【０００２】
従来のアンテナ内蔵時計は、文字盤に対して平行に配置した分針および時針からなる時計針をアンテナにして通信部が電波を受信するようにしている（例えば、特許文献１参照。）。
【特許文献１】特開平１１−１５０４１０号公報（第３頁左欄４１行目―第３頁左欄４７行目）
【発明の開示】
【発明が解決しようとする課題】
【０００３】
しかしながら、上述した従来の技術においては、文字盤と時計針とを平行に配置して文字盤に比較的近い位置に時計針を配置しているため、文字盤による電波の反射等により、時計針の電波の受信感度が悪くなるという問題がある。
また、このようなアンテナで電波を送信する場合は、文字盤による電波の反射等の影響が大きくなり、電波の送信に悪影響をおよぼすという問題がある。
【０００４】
本発明は、上記の問題点を解決するためになされたもので、電波の送受信を良好に行うことができる手段を提供することを目的とする。
【課題を解決するための手段】
【０００５】
本発明は、上記課題を解決するために、時計の文字盤を貫通する時計軸と、該時計軸に設置されて少なくともどちらかがアンテナとして機能している分針および時針を備えるアンテナ内蔵時計において、前記分針および時針を、前記文字盤の反対側に所定の角度で傾けて設置したことを特徴とする。
【発明の効果】
【０００６】
これにより、本発明は、時計針と文字盤との距離を離すことができ、文字盤による電波の反射等の影響を少なくして電波の送受信を良好に行うことができるという効果が得られる。
【発明を実施するための最良の形態】
【０００７】
以下に、図面を参照して本発明によるアンテナ内蔵時計の実施例について説明する。
【実施例１】
【０００８】
図１は実施例１のアンテナ内蔵時計を示す正面図、図２は実施例１のアンテナ内蔵時計を示す側面断面図である。
図１、図２において１はアンテナ内蔵時計である。
２はアンテナ内蔵時計１の文字盤であり、中心部に時計軸３を貫通させる貫通穴が設けられている。
【０００９】
時計軸３は金属で製作された分軸３ａと時軸３ｂで構成され、分針４ａを動かすための分軸３ａの外側に時針４ｂを動かすための中空の時軸３ｂとを嵌合させて配置する。
４は時計針であり、金属で製作された分針４ａと時針４ｂとで構成され、時計軸３の分軸３ａ、時軸３ｂそれぞれの先端に時計軸３の軸方向で、かつ文字盤２の反対側に所定の角度αで傾くように設置されている。
【００１０】
５はギア格納部であり、内部には図示しない複数のギアが組み合わされて設けられ、これらのギアにより時計軸３の分軸３ａ、時軸３ｂが回転する。
上記の時計針４は時計軸３を介して通信部６と電気的に導通するように構成され、分針４ａおよび時針４ｂの少なくともどちらかが通信部６のアンテナとして機能する。
通信部６は、アンテナ内蔵時計１の内部に設置され、親局から子局の間で無線通信の電波を送受信するための回路が搭載されている。
【００１１】
７は文字盤２、時計軸３、時計針４、ギア格納部５および通信部６を覆う時計カバーである。
８は前面カバーとしてのガラス板であり、その表面が平らな透明のガラス板であって、文字盤２と時計針４を挟んで対向し、アンテナ内蔵時計１の前面に配置されている。
このように時計針４を時計軸３の軸方向で、かつ文字盤２の反対側に所定の角度αで傾けて設置し、時計針４の根元から先端にかけて文字盤２との距離を拡大させるようにしたことによって、通信部６が電気的に導通している時計針４をアンテナにして電波の送受信を行うときには、文字盤２による電波の反射等の影響を小さく抑えることができる。
【００１２】
以上説明したように、本実施例では、時計針を文字盤の反対側に所定の角度で傾けて設置することで時計針と文字盤との間の距離を離すことができ、文字盤による電波の反射等の影響を小さくすることができ、時計針をアンテナとした電波の送受信を良好に行うことができる。
また、時計針が回転することを利用すればあらゆる角度の電波を送受信することができる。
【００１３】
また、時計針をアンテナとして用いることにより屋内や屋外に設置した場合に周囲の美観を損なうことがない。
なお、アンテナ内蔵時計の時計の駆動と通信部に必要な電力は、太陽電池や外部から供給される電力等の電源を共用することにより得ている。
【実施例２】
【００１４】
図３は実施例２のアンテナ内蔵時計を示す正面図、図４は実施例２のアンテナ内蔵時計を示す側面断面図である。
なお、上記実施例１と同様の部分は、同一の符号を付してその説明を省略する。
図４において、１０は時計軸３に加えた金属製の秒軸であり、分軸３ａを中空にしてその内側に配置される。
【００１５】
なお、本実施例のギア格納部５には秒軸１０を回転させるためのギアが加えられている。
１１は時計針４に加えた金属製の秒針であり、その中心には秒軸１０に嵌め込むための軸穴が設けられており、軸穴からそれぞれの端までは実施例１の分針４ａ、時針４ｂと同様に秒軸１０の軸方向で、かつ文字盤２の反対側に所定の角度αで傾ける。そして一の側を文字盤２の表示を指すために周囲に比べて見やすい色となっている指示部１１ａとし、他の側を周囲と比べて目立たないように文字盤２と同色等の保護色に塗られている保護色部１１ｂとして形成されている。
【００１６】
また、秒針１１は実施例１の分針４ａ、時針４ｂと同様に構成して秒軸１０を介して通信部６と電気的に導通し、通信部６のアンテナとして機能する。
以上説明したように、本実施例では、上記実施例１の効果に加えて通信部は無線通信を行う際に電気的に導通している秒針を加えた時計針をアンテナとして用いて電波の送受信を行うことができ、秒針が３０秒回転することで指示部と保護色部との回転角度の合計が３６０度となるため、電波の指向性が向上する。また秒針の他の側を保護色部としたことにより、指示部と区別できて時計の見間違えを防止することができる。
【実施例３】
【００１７】
図５は実施例３のアンテナ内蔵時計を示す側面断面図である。
なお、上記実施例１と同様の部分は、同一の符号を付してその説明を省略する。
図５において、１２は文字盤であり、外周から中心部へかけて凹む曲面つまり、曲状の凹面に形成され、その中心部には時計軸３を貫通させる貫通穴が設けられている。
文字盤１２はその外周の位置が上記実施例１で設置されている文字盤２の外周と同じ位置になるように設置されている。そのため文字盤１２の中心部が凹んでいる分貫通穴を貫通している時計軸３は上記実施例１に比べて突出する。
【００１８】
以上説明したように、本実施例では、上記実施例１と同様の効果に加えて時計軸部が更に突出するため時計針と文字盤との間の距離をさらに離すことができ、文字盤による電波の反射の影響をさらに小さくして、電波の送受信をより良好に行うことができる。
なお、本実施例では曲状の凹面に文字盤を形成するとして説明したが、図６に示すように外周から中心部へかけて凸となる曲面つまり、曲状の凸面に形成すれば、時計針の根元から先端にかけて時計針と文字盤との距離がさらに拡大して時計針と文字盤との間の距離をさらに離すことができ、文字盤による電波の反射の影響をさらに小さくして、電波の送受信をより良好に行うことができる。
【実施例４】
【００１９】
図７は実施例４のアンテナ内蔵時計を示す側面断面図、図８は凸レンズの光の屈折を示す説明図である。
なお、上記実施例１、実施例３と同様の部分は、同一の符号を付してその説明を省略する。
図７において１３は時計の前面カバーとしての凸レンズであり、文字盤１２と時計針４を挟んで対向し、アンテナ内蔵時計１の前面で外側に凸となるように配置されている。
【００２０】
図８（ａ）に示すように凸レンズを用いてない場合は、文字盤１２を斜め方向から見ると一部見難くなる箇所がある。そこで図８（ｂ）に示すように凸レンズを用いた場合は、斜め方向から文字盤１２を見ると、凸レンズの光の屈折によって見難くなった箇所を見やすくすることができる。
以上説明したように、本実施例では、上記実施例１、実施例３と同様の効果に加えて時計の前面カバーとして外側に凸となるように凸レンズを配置したことにより斜め方向からでも文字盤に表示されている数字や文字が見えやすくなり、文字盤の視認性を向上させることができる。
【００２１】
なお、上記実施例３、実施例４に上記実施例２に示す秒針を加えた時計針をアンテナとして適用すれば、前述した実施例３、実施例４のそれぞれの効果に加えて実施例２の効果を得ることができる。
【図面の簡単な説明】
【００２２】
【図１】実施例１のアンテナ内蔵時計を示す正面図
【図２】実施例１のアンテナ内蔵時計を示す側断面図
【図３】実施例２のアンテナ内蔵時計を示す正面図
【図４】実施例２のアンテナ内蔵時計を示す側面断面図
【図５】実施例３のアンテナ内蔵時計を示す側面断面図
【図６】文字盤を曲状の凸面にしたアンテナ内蔵時計を示す側面断面図
【図７】実施例４のアンテナ内蔵時計を示す側面断面図
【図８】凸レンズの光の屈折を示す説明図
【符号の説明】
【００２３】
１    アンテナ内蔵時計
２、１２  文字盤
３    時計軸
３ａ  分軸
３ｂ  時軸
４    時計針
４ａ  分針
４ｂ  時針
５    ギア格納部
６    通信部
７    時計カバー
８    ガラス板
１０  秒軸
１１  秒針
１１ａ  指示部
１１ｂ  保護色部
１３  凸レンズ
【図１】
2005315589.tif 000003
【図２】
2005315589.tif 000004
【図３】
2005315589.tif 000005
【図４】
2005315589.tif 000006
【図５】
2005315589.tif 000007
【図６】
2005315589.tif 000008
【図７】
2005315589.tif 000009
【図８】
2005315589.tif 000010